(57)【要約】【課題】軟質の合成樹脂を用いることなく地震等の振動によってパネル材の相対位置に狂いが生じてもクラックが生じにくい耐震目地材を提供する。【解決手段】耐震目地材１は、壁、天井等の構造材に固着したパネル材Ｐの継ぎ目に嵌め込まれる断面Ｕ字状の嵌合部２と、この嵌合部２の両端縁からパネル材Ｐの上面に沿って添着される張出部３を硬度８５以上の熱可塑性の塩化ビニルにより一体成形されたものであり、嵌合部２の側壁外面及び底壁下面に長手方向に延在する複数の溝２ａが形成されているので、耐震目地材１を固定したパネル材Ｐの両側で異なった振動が生じてパネルＰ，Ｐの相対位置に狂いが生じても、複数の溝２ａにより嵌合部２が柔軟に屈撓して変形することで耐震目地材１の周囲にクラックが生じにくくなる。【選択図】図１
2008088655.tif 000002
【特許請求の範囲】
【請求項１】
壁、天井等の構造材に固着したパネル材の継ぎ目に嵌め込まれる断面Ｕ字状の嵌合部と、この嵌合部両端縁から前記パネル材の上面に沿って添着される張出部を熱可塑性の硬質合成樹脂により所定の長さに一体成形した目地材であって、
前記嵌合部の少なくとも底壁下面に長手方向に延在する複数の溝を形成して前記嵌合部が前記継ぎ目にて柔軟に屈撓するようにしたことを特徴とする耐震目地材。
【請求項２】
前記溝は、前記嵌合部の底壁下面と側壁外面に形成されたことを特徴とする請求項１に記載の耐震目地材。
【請求項３】
前記耐震目地材は、前記嵌合部及び前記張出部を単一の熱可塑性の硬質合成樹脂により一体成形したことを特徴とする請求項１及び請求項２に記載の耐震目地材。
【発明の詳細な説明】
【技術分野】
【０００１】
本発明は、壁、天井等の構造材に固着したパネル材の継ぎ目を覆う目地材に関し、特に、地震等の振動が生じたときにも目地材の周囲にクラックの生じにくい耐震目地材に関する。
【背景技術】
【０００２】
従来の耐震目地材としては、例えば特許文献１に開示されたものがあり、この耐震目地材は、壁、天井等の構造材に固着したパネル材の継ぎ目に嵌め込まれる断面コ字状の凹溝部（嵌合部）と、この凹溝部両端からパネル材の上面に沿って添着される張出部よりなり、凹溝部を軟質のプラスチックにより、張出部を凹溝部よりも硬質のプラスチックにより押出し成形機で一体成形されたものである。上記の耐震目地材を使用するときには、パネルの継ぎ目に凹溝部を嵌め込み、両側の張出部をボードに添着するとともに張出部の端部の段差を目立たなくするためにパテが塗布される。この耐震目地材によれば、地震時やドアの開閉時に２枚のパネル材に互いに異なる振動が生じてパネル材の相対位置に狂いが生じた場合でも、軟質のプラスチックよりなる凹溝部が変形することにより、張出部の端部に塗られたパテにほとんど応力が生じなることなく、従ってクラックが生じることもない。
【特許文献１】特許第３３１５６２６号公報
【発明の開示】
【発明が解決しようとする課題】
【０００３】
上記の耐震目地材は、地震時やドアの開閉時に２枚のパネル材に相対位置の狂いが生じたときのために、凹溝部が軟質のプラスチックである必要があるのに対し、張出部は、運搬及び取付施工をするときに撓んで腰折れしにくくするために硬質のプラスチックである必要がある。よって、上記の耐震目地材は、軟質及び硬質の２種類のプラスチックで押出し成形しなければならなく、単一のプラスチックから成形されたものに比べて押出装置が余分に必要となることから設備費が増大し、生産性も悪いという問題があった。また、上記の耐震目地材を押出し成形する金型は、硬質及び軟質のプラスチックを合流させる構造にするために複雑な構造としなければならなくなってコストが高くなるという問題もあった。さらに、上記の耐震目地材は２種類のプラスチックで一体成形されているために、各プラスチックの冷却速度が異なって生産性が落ちるという問題があった。本発明はこれらの問題を解決することを目的とする。
【課題を解決するための手段】
【０００４】
本発明は、上記課題を解決するため、壁、天井等の構造材に固着したパネル材の継ぎ目に嵌め込まれる断面Ｕ字状の嵌合部と、この嵌合部両端縁からパネル材の上面に沿って添着される張出部を熱可塑性の硬質合成樹脂により所定の長さに一体成形した目地材であって、嵌合部の少なくとも底壁下面に長手方向に延在する複数の溝を形成して嵌合部が継ぎ目にて柔軟に屈撓するようにしたことを特徴とする耐震目地材を提供するものである。
【０００５】
上記のように構成した耐震目地材においては、嵌合部の少なくとも底壁下面に長手方向に延在する複数の溝を形成して嵌合部が継ぎ目にて柔軟に屈撓するようになっているので、耐震目地材の両側のパネル材に互いに異なる振動が生じて両側のパネル材の相対位置の狂いが生じても、溝により嵌合部が柔軟に屈撓して変形することで耐震目地材に生じる歪みを抑えることができて、耐震目地材の周囲にクラックが生じにくくなる。
【０００６】
上記の耐震目地材においては、溝を嵌合部の底壁下面と側壁外面に形成するようにしてもよく、このようにしたときは、嵌合部がより柔軟に屈撓するようになって、耐震目地材の両側のパネル材の間に生じる振動が大きい場合でも、嵌合部が溝により変形して耐震目地材に生じる歪みを抑えることができるので、耐震目地材の周囲にクラックが生じることがない。
【０００７】
上記のように構成した耐震目地材は、嵌合部及び張出部を単一の合成樹脂により一体成形するのが好ましく、このようにしたときには、硬度の低い合成樹脂を用いることなく振動を吸収することができて、複数の合成樹脂よりなるものに比べて耐震目地材の生産性がよくなる。
【発明を実施するための最良の形態】
【０００８】
以下、本発明に係る耐震目地材の一実施形態を図面に基づいて説明する。耐震目地材１は、図１〜図３に示すように、壁、天井等の構造材に固着したパネル材Ｐの継ぎ目に嵌め込まれる断面Ｕ字状の嵌合部２と、この嵌合部２の両端縁からパネル材Ｐの上面に沿って添着される張出部３よりなる。この耐震目地材１は、硬度８５以上の熱可塑性の硬質塩化ビニルよりなり、押出し成形機により成形されている。耐震目地材１の寸法は、幅が約４０ｍｍ、高さが約７ｍｍ、厚さが０．５ｍｍ、長さが所定の長さとして２０００ｍｍとなっている。なお、本実施形態における耐震目地材１は、硬度８５以上の熱可塑性の硬質塩化ビニルによりなるが、本発明における耐震目地材は、硬度８５以上の熱可塑性の硬質合成樹脂に限られるものでない。
【０００９】
嵌合部２は、図１及び図２に示すように、その底部の角に丸みを付けられて穏やかな曲面となる断面略Ｕ字状をしており、幅が１０ｍｍで、深さが７ｍｍ、厚さが０．５ｍｍとなっている。嵌合部２の側壁外面及び底壁下面には、長手方向に沿って延在する複数の溝２ａが形成されており、この溝２ａは、図１及び図２に示すように、幅及び深さが０．３ｍｍの断面コ字状をしたものである。
【００１０】
張出部３は、図１に示すように、嵌合部２の両端から外側直角方向に延出されている。
【００１１】
本発明における耐震目地材１の一使用例を図面を用いて説明する。本発明の耐震目地材は、例えば、図３に示すように、壁、天井等の構造材に固着された左右一組のパネル材Ｐ，Ｐの継ぎ目を覆うために使用される。図示左側のパネル材Ｐは壁の構造材である軽量鉄骨Ｆにビスにより支持固定され、図示右側のパネル材Ｐは同壁の構造材のコンクリートの柱ＡにボンドＢにより接着されて支持固定されている。耐震目地材１は、嵌合部２を２枚のパネル材Ｐ，Ｐの継ぎ目に嵌め込み、張出部３を左右のパネル材Ｐ，Ｐの上面に接着して使用される。また、耐震目地材１は、張出部３の端部からボードにパテ４を塗って、張出部３とパネル材Ｐとの段差をなくすように使用される。そして、上記したように耐震目地材１をパネル材Ｐ，Ｐとの継ぎ目を覆うようにした後には、パネル材Ｐから張出部３にクロスＣを貼り付けて仕上処理が施されている。
【００１２】
上記の耐震目地材１は、嵌合部２の側壁外面及び底壁下面に長手方向に沿って延在する複数の溝２ａが形成されているので、地震時やドアの開閉時に生じる振動により耐震目地材１の両側で異なった振動が生じてパネル材Ｐ，Ｐ間の相対位置の狂いが生じても、溝２ａによって嵌合部２が柔軟に屈撓して変形することで耐震目地材１に生じる歪みを抑えることができる。また、耐震目地材１は、嵌合部２がその底部の角に丸みを付けられて穏やかな曲面となる断面略Ｕ字状をしているので、上記した溝２ａによる嵌合部２の変形をより容易にすることができる。よって、上記の耐震目地材１は、パネル材Ｐ，Ｐ間の相対位置の狂いから耐震目地材１に歪みが生じたときに、嵌合部２が柔軟に屈撓して変形することで、張出部３及びその周囲に塗られたパテ４の塗着面にほとんど応力が生じなくなって、パテ４にクラックが生じにくくなる。また、本発明の耐震目地材１は、地震等による振動によって生じるパネル材Ｐ，Ｐの相対位置の狂いだけでなく、経年変化によるパネル材Ｐ，Ｐ間の相対位置の狂いに対しても効果があるものである。
【００１３】
また、本発明の耐震目地材１は、嵌合部２と張出部３とからなる全体が単一の硬質塩化ビニルにより押出し一体成形されたものであるので１台の押出し装置で生産することができ、嵌合部が軟質の合成樹脂で張出部が硬質の合成樹脂となる２種類の合成樹脂よりなって２台の押出し装置により一体成形する特許文献１の技術に比べて、設備費を低下させ、また効率のよい生産をすることができる。さらに、耐震目地材１は、嵌合部２と張出部３とからなる全体が硬質塩化ビニルにより押出しによる一体成形されたものであるので、生産された目地材の狂いが少なく、従って、施工も容易で出来栄えも向上する。
【００１４】
また、本発明の耐震目地材１は、嵌合部２を硬質塩化ビニルにより成形しても十分な可撓性を有しているので、嵌合部に軟質塩化ビニルを用いて同程度の可撓性を有するものと比べて、嵌合部２を薄く成形してもその形状を保持することができるようになる。その結果、耐震目地材１は、全体を薄く成形して軽量にすることができることから、運搬に要する手間とコストを下げることができるとともに、施工工事をするときに軽くて取り扱いを容易にすることができる。特に、本発明の耐震目地材１は、溝２ａにより嵌合部２に柔軟な屈撓性を有するようになっており、この溝２ａは嵌合部２の長手方向に沿って形成されているので、横方向及び高さ方向に柔軟に屈撓するが長手方向に撓んで腰折れするようなことがない。
【００１５】
上記の実施形態の耐震目地材１は硬質塩化ビニルよりなるが、本発明はこれに限られるものでなく、他の合成樹脂材によるものであってもよい。また、上記の実施形態の耐震目地材１は、単一の材質として硬質塩化ビニルを用いているが、本発明はこれに限られるものでなく、複数の材質からなる合成樹脂材からなるようにしてもよい。
【００１６】
上記の実施形態の耐震目地材１の嵌合部２の形状は、その底部の角に丸みを付けられて穏やかな曲面となる断面Ｕ字状をしているが、本発明における断面Ｕ字状は、断面凹形状のものであればよく、例えば断面半円状のものや断面コ字状等の断面凹形状のものであってもよい。この場合には、嵌合部２の底部の角に丸みを付けられて穏やかな曲面となる形状であるほうがより嵌合部２が屈撓しやすくなってよい。
【００１７】
上記の実施形態の耐震目地材１の嵌合部２に形成された溝２ａは、嵌合部２の側壁外面と底壁下面に形成されており、このようにすれば溝２ａが見えないので見栄えが向上する。しかしながら、本発明はこれに限られるものでなく、嵌合部２の側壁内面と底壁上面に形成されていてもよい。また、溝２ａは、嵌合部２の少なくとも側壁内面または外面及び底壁の上面または下面の一部に形成されていて、この溝２ａにより嵌合部２が柔軟に屈撓するようになっていればよい。
【００１８】
上記の実施形態の耐震目地材１は、嵌合部２の側壁外面と底壁下面に長手方向に延在する複数の溝２ａが形成されているが、本発明はこれに限られるものでなく、例えば、図４に示すように、側壁の外面と内面と、底壁の上面と下面とに交互に溝２ａを形成させたものでもよく、このような場合も溝２ａにより嵌合部２が柔軟に屈撓するようなる。
【００１９】
本発明の耐震目地材は、寸法は実施形態に限らないことはもちろんであり、一使用例も図３に限るものではなく、例えば、両側の下地が軽量鉄骨であっても、クラック防止効果を有することは言うまでもない。
【図面の簡単な説明】
【００２０】
【図１】本発明の耐震目地材の一実施形態の断面図である。
【図２】図１の耐震目地材の嵌合部の断面図である。
【図３】本発明の耐震目地材の一使用例を示す斜視図である。
【図４】本発明の他の耐震目地材の実施形態を示す断面図である。
【符号の説明】
【００２１】
１…耐震目地材，２…嵌合部，２ａ…溝，３…張出部。
【図１】
2008088655.tif 000003
【図２】
2008088655.tif 000004
【図３】
2008088655.tif 000005
【図４】
2008088655.tif 000006